(57)【要約】【課題】汎用タイプのプリンタを用いてインデックスタブに印字を行うことのできるインデックスシートを提供すること【解決手段】シート本体１１と、このシート本体１１の右縁部１１Ｂに沿う内側に、折り返し可能なインデックスタブ１２が設けられている。このインデックスタブ１２は、シート本体１１の面内に折り曲げ部１５を設けるとともに、当該折り曲げ部１５の両端に連なる一対の切り込み１６を設け、これら切り込みを繋ぐ連結切り込み１７を設けることによって形成される。インデックスタブ１２の面内には面位置がシフト可能な舌片１８が設けられており、インデックスタブ１２を前記右縁部１１Ｂから外側に突出する方向に切り起こした状態で、見出し表示可能となり、舌片１８は、インデックスタブ１２との間にシート本体１１の右縁部１１を挟み込むようになっている。【選択図】図１
2009255416.tif 000002
【特許請求の範囲】
【請求項１】
左右一対の縁部及び上下一対の縁部を有するシート本体の少なくとも一縁部に沿う内側に、折り返し可能なインデックスタブを設け、当該インデックスタブは、前記一縁部の外側に折り返すことにより前記シート本体の縁部から突出することを特徴とするインデックスシート。
【請求項２】
前記インデックスタブは、前記一縁部と平行に延びる折り曲げ部と、当該折り曲げ部の両端からシート本体内側に向けられた一対の切り込みと、これら切り込みの内方端を相互に繋げる連結切り込みとをシート本体に形成することによって設けられることを特徴とする請求項１記載のインデックスシート。
【請求項３】
前記インデックスタブは、その領域内に面位置をシフト可能な舌片を備え、当該舌片は、前記インデックスタブがシート本体の縁部から突出した状態で、当該インデックスタブと相互に作用して前記シート本体の縁部を挟み込むことを特徴とする請求項１又は２記載のインデックスシート。
【請求項４】
前記インデックスタブは前記シート本体の縁部から外側に突出するように連設されてなり、当該インデックスタブは、前記シート本体に重なる状態で仮着されていることを特徴とする請求項１記載のインデックスシート。
【請求項５】
前記インデックスタブは、疑似接着剤層を介して前記シート本体に仮着されていることを特徴とする請求項４記載のインデックスシート。
【請求項６】
前記インデックスタブは、前記シート本体の縁部に沿って複数箇所に設けられていることを特徴とする請求項１ないし５の何れかに記載のインデックスシート。
【発明の詳細な説明】
【技術分野】
【０００１】
本発明はインデックスシートに係り、更に詳しくは、汎用プリンタを利用してインデックスタブに所定の印字を行うことのできるインデックスシートに関する。
【背景技術】
【０００２】
ファイル、バインダー等においては、綴じられた書類の検索を行うために、書類の外縁部分を挟み込む状態で貼付可能な枚葉のインデックスラベルが用いられている。このタイプのインデックスラベルは、所定の平面サイズに設けられた基材シートに多数仮着されて市販されている。
しかしながら、このタイプのインデックスラベルに印字を行う場合には、前記平面サイズに応じて予めプログラムされた専用のプリンタを用いることが必要な場合が多く、一般的な汎用プリンタに適合したものとはなっていない。
【０００３】
また、インデックスシートとしては、シート本体の外縁からインデックスタブが突出するように当該インデックスタブを一体に備えたものも存在するが、このタイプのインデックスシートは、インデックスタブが部分的に突出した平面形状となるため、プリンタの給紙機構に対応できず、プリンタによる印字が行えない、という不都合がある。
【０００４】
特許文献１には、汎用タイプのプリンタを用いてインデックスタブに印字を行うことに適合したインデックスシートが開示されている。
【特許文献１】特表２００１−５０３６９２号公報
【発明の開示】
【発明が解決しようとする課題】
【０００５】
しかしながら、特許文献１に記載されたインデックスシートにあっては、インデックスシートを形成する本体部分と、当該本体部分から突出するインデックスタブと、このインデックスタブを囲むように本体部分に連設されたガイド部分とを備えた構成であり、インデックスタブに印字を行った後に、ガイド部分を本体部分から分離することを前提とした構成となっている。
そのため、ガイド部分を設けた分の無駄を発生する他、ガイド部分を本体部分から分離する細かい作業が必須になり、使い勝手が悪い、という不都合がある。
【０００６】
［発明の目的］
本発明は、このような不都合に着目して案出されたものであり、その目的は、汎用タイプのプリンタを用いてインデックスタブに印字を行うことのできるインデックスシートを提供することにある。
また、本発明の他の目的は、廃棄する部分を生ずることなく提供可能なインデックスシートを提供することにある。
【課題を解決するための手段】
【０００７】
前記目的を達成するため、本発明に係るインデックスシートは、左右一対の縁部及び上下一対の縁部を有するシート本体の少なくとも一縁部に沿う内側に、折り返し可能なインデックスタブを設け、当該インデックスタブは、前記一縁部の外側に折り返すことにより前記シート本体の縁部から突出する、という構成を採っている。
【０００８】
本発明において、前記インデックスタブは、前記一縁部と平行に延びる折り曲げ部と、当該折り曲げ部の両端からシート本体内側に向けられた一対の切り込みと、これら切り込みの内方端を相互に繋げる連結切り込みとをシート本体に形成することによって設けられる。
【０００９】
また、前記インデックスタブは、その領域内に面位置をシフト可能な舌片を備え、当該舌片は、前記インデックスタブがシート本体の縁部から突出した状態で、当該インデックスタブと相互に作用して前記シート本体の縁部を挟み込むように設けるとよい。
【００１０】
更に、前記インデックスタブは前記シート本体の縁部から外側に突出するように連設されてなり、当該インデックスタブは、前記シート本体に重なる状態で仮着される、という構成を採ることもできる。
この際、前記インデックスタブは、疑似接着剤層を介して前記シート本体に仮着される構成を採用することが好ましい。
【００１１】
また、前記インデックスタブは、前記シート本体の縁部に沿って複数箇所に設けられる、という構成を採ることができる。
【発明の効果】
【００１２】
本発明によれば、インデックスタブは、シート本体の外側に折り返すことで突出する構成としたから、プリンタによる印字を行う前の段階では、シート本体の内側領域に位置した状態にして汎用タイプのプリンタを用いて印字を行うことができる。
【００１３】
また、インデックスタブは、シート本体の領域内に折り曲げ部と切り込みを設けることによって形成できるため、印字後に、インデックスタブを切り起こしてシート本体の外縁から突出させるだけで利用可能となる。
【００１４】
更に、インデックスタブの領域内に舌片を設けた構成では、インデックスタブがシート本体の縁部から突出した姿勢を安定して保持することができる。
【００１５】
また、シート本体の縁部から外側に突出するインデックスタブを設け、これをシート本体に重なるように仮着した構成によっても同様にプリンタによる印字を行うことができる。この際、インデックスタブが疑似接着剤層を介してシート本体に仮着された構成とすることで、インデックスタブがシート本体に密着した状態に保たれ、シート本体に対して浮き上がるような不都合を回避しつつプリンタによる印字を行うことができる。
【００１６】
更に、インデックスタブをシート本体の縁部に沿って複数箇所に設けておけば、何れかのインデックスタブを任意に利用できるとともに、書類間に適用する位置が異なっていても、単一のインデックスシートを共用して廉価に利用することができる。
【発明を実施するための最良の形態】
【００１７】
以下、本発明の好ましい実施形態を、図面を参照しながら詳細に説明する。
【００１８】
図１には、本実施形態に係るインデックスシートの概略正面図が示され、図２には、図１のＡ−Ａ線矢視拡大断面図が示されている。これらの図において、インデックスシート１０は、シート本体１１と、当該シート本体１１の面内に設けられたインデックスタブ１２とを備えて構成されている。
【００１９】
前記シート本体１１は、相互に平行な左右一対の縁部１１Ａ、１１Ｂと、上下一対の縁部１１Ｃ、１１Ｄとを備え、左右の縁部１１Ａ、１１Ｂが上下の縁部１１Ｃ、１１Ｄの長さよりも長い長方形の平面形状に設けられている。シート本体１１の平面サイズは、特に限定されるものではないが、本実施形態では、規格Ａ列４判の大きさとされ、図１中左縁部１１Ａの中央部上下二箇所には、図示しないファイル、バインダーへの綴じ込み穴１３が形成されている。
【００２０】
前記インデックスタブ１２は、前記シート本体１１の一縁部すなわち右縁部１１Ｂに沿う内側において、相互に所定間隔を隔てて五箇所に設けられている。各インデックスタブ１２は、前記右縁部１１Ｂと平行に延びる折り曲げ部１５と、当該折り曲げ部１５の上下両端からシート本体１１の内側すなわち左縁部１１Ａ側に向けられた上下一対の切り込み１６と、これら切り込み１６の内方端を相互に繋げる連結切り込み１７とをシート本体１１に形成することによって設けられている。このため、インデックスシート１２は、折り曲げ部１５を回転中心として、シート本体１１の面から切り起こし可能となり、当該シート本体１１の面と略平行となる姿勢で、右縁部１１Ｂから外側に突出する方向に折り返し可能となり、当該突出した領域内に印字された文字等（図３参照）の見出しを視認できるようになっている。なお、上下一対の切り込み１６は、幅方向中間より内側の相互間隔が狭くなるように傾斜するが、この切り込み１６の方向は特に限定されるものではなく、例えば、直線状に設けてもよい。また、前記折り曲げ部１５は、シート本体１１を型抜きダイ等を用いて形成する際に、プレスによる筋模様を付けることによって形成される。
【００２１】
前記インデックスタブ１２の領域内には、当該インデックスタブ１２の面に対して面位置をシフト可能な舌片１８が設けられている。この舌片１８は、図１に示されるように、前記切り込み１６，１７が形成されている向きと反対向きとなるように、平面視略コ字状の切り込み線２０を設けることによって形成されている。インデックスタブ１２内における舌片１８の形成位置は、インデックスタブ１２を前記右縁部１１Ｂから突出するように折り曲げたときに、舌片１８の自由端側が右縁部１１Ｂに係り合い可能となる位置とされている。従って、図３及び図４に示されるように、インデックスタブ１２をシート本体１１の右縁部１１Ｂから突出する方向に折り返したときに、インデックスタブ１２の面に対して一時的に所定角度シフトさせながらシート本体１１の右縁部１１Ｂ反対側に回り込ませたときに、インデックスタブ１２と相互に作用して右縁部１１Ｂを挟み込むようになっている。
【００２２】
前記インデックスシート１０は、インデックスタブ１２がシート本体１１の面内に位置した状態で、図示しないプリンタの給紙部にセットされ、インデックスタブ１２の表裏各面に、図３中「○」印で示した所定の見出し文字等が印字される。
【００２３】
印字が終了した後は、インデックスタブ１２は、折り曲げ部１５を回転中心とする一方、連結切り込み１７側を自由端として切り起こし、前記右縁１１Ｂから外側に突出するように略１８０度折り返す。この後、舌片１８をインデックスタブ１２の面から所定角度シフトする方向に変位させ、インデックスタブ１２と相互に作用してシート本体１１の右縁部１１Ｂを挟み込むようにする。この際、舌片１８は、コ字状の開放側に折り曲げ部等を特別に設けていないため、右縁部１１Ｂを挟み込む位置に面位置をシフトさせても、元の面位置に復帰しようとする反発力を生ずるため、右縁部１１Ｂを挟み付ける力を付与してインデックスタブ１２の突出位置を安定した状態に保つこととなる。
【００２４】
なお、本実施形態では、前記インデックスタブ１２がシート本体１１の面内五箇所に設けられているため、例えば、五枚のインデックスシートを用意しておき、それぞれ段違いとなる状態で見出しを表出できるように印字するができる。
【００２５】
従って、このような実施形態によれば、汎用プリンタを用いてシート本体１１のインデックスタブ１２に見出し等の印字を行うことができ、印字後に一部を除去するような無駄を一切生ずることのないインデックスシートを提供することができる。
【００２６】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、材料、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材料などの限定の一部若しくは全部の限定を外した部材の名称での記載は、本発明に含まれるものである。
【００２７】
例えば、前記実施形態では、シート本体１１の面内に切り込み１６、１７を形成してインデックスタブ１２を設けたが、本発明はこれに限定されるものではなく、図６に示される構成を採用することもできる。同図に示されるインデックスタブ１２は、シート本体１１の右縁部１１Ｂから突出する状態のインデックスタブ１２を設けておき、当該インデックスタブ１２を前記右縁部１１Ｂと同一線上で内側に折り曲げてシート本体１１の面に重なり合う状態を初期状態としたものである。ここで、インデックスタブ１２は、図７に示されるように、シート本体１１に対して疑似接着剤層Ａを介して仮着され、インデックスタブ１２に所定の印字を行った後に、疑似接着剤層Ａの層間剥離を行って前記右縁部１１Ｂから外側に突出させることで利用可能となる。
なお、疑似接着剤層Ａとしては、複数、例えば、二層の積層フイルムによって構成でき、それらの界面で剥離可能に設けることができる。疑似接着形成層に用いるフイルムとしては、例えば、ポリエチレン樹脂、ポリスチレン樹脂、アクリル樹脂、天然ゴム系樹脂、塩化ビニル−酢酸ビニル共重合体、エチレン−酢酸ビニル共重合体、紫外線硬化ニス、ポリエチレンテレフタレート樹脂等を例示することができ、それらを任意に組合せた積層フイルムを疑似接着剤層とすることができる。
【００２８】
また、前記実施形態において、インデックスタブ１２を形成するに際し、切り込み１６，１７を設けたが、これら切り込みに代えてミシン目を形成することでもよい。
【００２９】
また、前記舌片１８の領域内に剥離紙でカバーされた両面テープを設けておくこともでき、インデックスタブ１２をシート本体１１の右縁部１１から突出させてシート本体１１を挟み込む際に、前記剥離紙を剥離することで、シート本体１１と舌片１８とを接着することが可能となり、インデックスタブ１２の突出状態を更に安定して保つことができる。
【００３０】
また、前記インデックスタブ１２は、シート本体１１の右縁部１１Ｂに沿う複数箇所に設けたが、例えば、上縁１１Ａに設けることでもよい。要するに、本発明は、シート本体１１の綴じ込み側を除く何れかの縁部にインデックスタブ１２が設けられていればよい。更に、インデックスタブ１２の形成数は、図示構成例に限定されるものではなく、増加、減少することを妨げない。
【図面の簡単な説明】
【００３１】
【図１】本実施形態に係るインデックスシートの概略正面図。
【図２】図１のＡ−Ａ線矢視拡大断面図。
【図３】インデックスタブを使用位置にセットした状態を示すインデックスシートの正面図。
【図４】図３のＢ−Ｂ線矢視拡大断面図。
【図５】図３の背面図。
【図６】本発明の変形例を示すインデックスシートの概略正面図。
【図７】図６のＣ−Ｃ線矢視拡大断面図。
【符号の説明】
【００３２】
１０  インデックスシート
１１  シート本体
１１Ａ  左縁部
１１Ｂ  右縁部
１１Ｃ  上縁部
１１Ｄ  下縁部
１２  インデックスタブ
１５  折り曲げ部
１６  切り込み
１７  連結切り込み
１８  舌片
Ａ  疑似接着剤層
【図１】
2009255416.tif 000003
【図２】
2009255416.tif 000004
【図３】
2009255416.tif 000005
【図４】
2009255416.tif 000006
【図５】
2009255416.tif 000007
【図６】
2009255416.tif 000008
【図７】
2009255416.tif 000009